(57)【要約】【課題】操作スイッチ、ボタンの数を減らすことができ、各種の遠隔操作対象機器の操作手順を統一することができ、高い操作性を得ることができるリモコン装置を得る。【解決手段】照明、空調、ＴＶ等の複数の機能項目である遠隔操作対象機器が並べられた機能項目選択画面を表示する表示器１と、機能項目選択画面中の遠隔操作対象機器、例えば空調を選択する機能項目選択スイッチ２と、選択された遠隔操作対象機器、例えば空調を決定する肯定ボタン３と、選択された機能項目を取り消す否定ボタン４と、肯定ボタン３によって例えば空調が決定指示されると、ＯＮ／ＯＦＦ、温度、タイマー等の複数の別の機能項目である設定機能が並べられた別の機能項目選択画面を表示器１に表示させ、決定指示がされた例えば空調の指示コードを出力する制御部５と、出力された指示コードを赤外線信号に変換して遠隔操作対象機器、例えば空調へ発信する通信部６とを設けた。【選択図】図１
2006025442.tif 000002
【特許請求の範囲】
【請求項１】
複数の機能項目が並べられた機能項目選択画面を表示する表示手段と、
前記機能項目選択画面中の機能項目を選択するための機能項目選択手段と、
前記選択された機能項目を決定するための決定指示入力手段と、
前記選択された機能項目を取り消すための取消指示入力手段と、
前記決定指示入力手段によって特定の機能項目が決定指示されると、複数の別の機能項目が並べられた別の機能項目選択画面を表示手段に表示させ、前記決定指示がされた特定の機能項目の指示コードを出力する制御手段と、
前記出力された指示コードを無線信号に変換して遠隔操作対象機器へ発信する通信手段とを備え、
前記通信手段は、複数の赤外線発光素子を有し、
前記制御手段は、予め遠隔操作対象機器毎に発光強度が設定された発光強度管理データを参照し、選択された遠隔操作対象機器に対応して必要な発光強度が得られる赤外線発光素子数を選択し前記通信手段から送信される赤外線信号の発光強度を制御する発光素子制御手段を有する
リモコン装置。
【請求項２】
さらに、遠隔操作対象機器に向けられた装置本体の方向に基づいて遠隔操作対象機器を識別する対象機器識別手段を備え、
前記制御手段は、前記対象機器識別手段によって識別された遠隔操作対象機器の複数の設定機能が並べられた機能項目選択画面を初期画面として前記表示手段に表示させる
請求項１記載のリモコン装置。
【請求項３】
前記対象機器識別手段は、遠隔操作対象機器に向けられたときの装置本体の仰角に基づいて遠隔操作対象機器を識別する角度センサである
請求項２記載のリモコン装置。
【請求項４】
前記複数の赤外線発光素子は、それぞれ配光特性が異なり、
前記発光素子制御手段は、予め遠隔操作対象機器毎に配光特性が設定された配光管理データベースを参照し、選択された遠隔操作対象機器に対応して必要な配光、発光強度が得られる赤外線発光素子の組み合わせを選択し前記通信手段から送信される赤外線信号の配光を制御する
請求項１記載のリモコン装置。
【請求項５】
前記制御手段は、前回の選択された遠隔操作対象機器とその操作対象機能を記憶する操作履歴記憶手段をさらに有し、
前記発光素子制御手段は、今回の選択された遠隔操作対象機器とその操作対象機能が、前記操作履歴記憶手段によって記憶された前回の選択された遠隔操作対象機器とその操作対象機能と同じである場合には、前記通信手段から送信される赤外線信号の発光強度を前記発光強度管理データの該当発光強度よりも増加するように制御するとともに、前記発光強度管理データの該当発光強度を書き換える
請求項１記載のリモコン装置。
【発明の詳細な説明】
【技術分野】
【０００１】
この発明は、複数の家電住設機器、例えばＡＶ機器、照明器具、空調機器などを遠隔操作するリモコン装置に関するものである。
【背景技術】
【０００２】
従来、複数の家電機器等の遠隔操作を１台で行うリモコン装置としては、機器メーカ指定方式のプリセットリモコン装置や赤外線コマンドを学習するリモコン装置等が知られている。
【０００３】
しかし、従来のリモコン装置においては、複数の機器は制御できるものの、機器別の操作ボタンをそのままリモコン装置の操作面に配置しただけのものが多く、操作可能な機器が増えるほど操作面上のボタン数が増加し、各ボタンの占有面積が少なくなるため、ボタンの識別がしにくく、操作性が悪化する。特に、高齢者や視覚障害者にとっては、このようなリモコン装置は、誤操作による空調温度の調節ミスやテレビの音量の調節ミス等の発生原因となりかねない。
【０００４】
しかも、タイマー等のように同様の機能を有しているにもかかわらず、機器間で別のボタンで操作しなければならないことがあり、このようなことも操作性を悪化させる原因となっている。
【０００５】
また、大きさやコストの関係上、全ての操作をタクトスイッチ等の操作ボタンの押下によるリモコン装置もある。このようなリモコン装置においては、オペレータの操作の実感が乏しくならざるを得ず、応答性の悪さが誤操作を引き起こすという事態も発生している。
【０００６】
さらに、例えば、特許文献１に示されているようなリモコン装置が提案されている。機器毎に１つのボタンで複数の機能を選択できるパット状ボタンを操作面上に設けて見かけ上の操作ボタンを減らすものである。しかしながら、ボタン数を減らすことはできたが、１つのボタンが複数の機能を実現するために操作方法がわかりにくくなったり、操作ボタン上に表示された絵柄に基づいて、操作対象の機器のボタンを操作の度に探さなければならない操作性上の課題は未解決のままである。
【０００７】
【特許文献１】特開平８−８８８８３号公報
【発明の開示】
【発明が解決しようとする課題】
【０００８】
複数の機器を操作対象とするリモコン装置は、機器単体を対象とするリモコン装置に比べて、一般的に使用頻度が増大するために、電池での動作が一般的であるリモコン装置にとっては、電池使用可能時間が短くなってしまい頻繁に電池を交換しなければならないという課題が発生している。
【０００９】
一般的に、照明器具の点灯時には、赤外帯域の光を大量に発光するために、リモコン装置から、照明器具を制御するためには、上記点灯時に発生する雑音に負けない光量の赤外光を出力する必要がある。これに比較して、テレビ、エアコン等の機器は、照明器具と比較して小さな光量で安定な通信が可能である。通常、複数の機器を操作対象とするリモコン装置は、どの機器に対しても安定確実な制御を実現するために、照明器具の操作に必要な赤外線出力をするように設計されることが多い。その結果、前述のように、操作頻度と発光量が増大することにより、消費電力が増え、さらにリモコン装置の電池寿命を短くしてしまうという事態を引き起こしている。
【００１０】
上記の電池寿命が短くなることの対応として、少ない光量で、できるだけ遠方の機器を操作するために、赤外線の配光範囲を絞った赤外線発光素子を使用することが一般的に知られている。しかし、配光を絞ることにより、リモコン操作時には、かなり正確に操作対象機器にリモコン装置を向ける必要があり、オペレータにストレスを感じさせることが多く発生している。
【００１１】
また、ボタン操作により、リモコン装置が手振れを発生し、微妙に光軸中心がずれ、この結果通信できなくなってしまうという問題も発生している。特に、高齢者の場合には、加齢による腕、指の力の衰えにより、大きな手振れを発生してしまいこれらの現象が顕著に現れて来る。
【００１２】
この発明は、前述した課題、問題点、要望等を解決するためになされたもので、ボタンやスイッチの数をできるだけ少なくし、複数の機器間で操作を統一することで、操作性の高いリモコン装置を得ることを目的とする。
【００１３】
また、この発明は、操作手順の数を減らすことにより誤操作を防ぎ、操作性の高いリモコン装置を得ることを目的とする。
【００１４】
また、この発明は、操作の実感をより多く与えることにより誤操作を防ぎ、操作性の高いリモコン装置を得ることを目的とする。
【００１５】
また、この発明は、機器毎に最適な赤外線光量で制御することにより、安定確実な通信を行うとともに電池寿命を損なわないリモコン装置を得ることを目的とする。
【００１６】
また、この発明は、人や操作対象機器に最適な赤外線配光制御を行うことにより、操作時に発生する手振れ等に対しても安定に動作するリモコン装置を得ることを目的とする。
【課題を解決するための手段】
【００１７】
この発明に係るリモコン装置は、複数の機能項目が並べられた機能項目選択画面を表示する表示手段と、前記機能項目選択画面中の機能項目を選択するための機能項目選択手段と、前記選択された機能項目を決定するための決定指示入力手段と、前記選択された機能項目を取り消すための取消指示入力手段と、前記決定指示入力手段によって特定の機能項目が決定指示されると、複数の別の機能項目が並べられた別の機能項目選択画面を表示手段に表示させ、前記決定指示がされた特定の機能項目の指示コードを出力する制御手段と、前記出力された指示コードを無線信号に変換して遠隔操作対象機器へ発信する通信手段とを備え、前記通信手段は、複数の赤外線発光素子を有し、前記制御手段は、予め遠隔操作対象機器毎に発光強度が設定された発光強度管理データを参照し、選択された遠隔操作対象機器に対応して必要な発光強度が得られる赤外線発光素子数を選択し前記通信手段から送信される赤外線信号の発光強度を制御する発光素子制御手段を有するものである。
【発明の効果】
【００１８】
この発明に係るリモコン装置は、操作をするスイッチ、ボタンの数を減らすことができ、また表示手段に表示させる各機能項目の領域が大きくなることで、検索及び操作が容易になり、さらに各遠隔操作対象機器で操作手順を統一することができ、操作手順を簡単にでき、高い操作性を得ることができるという効果を奏する。さらに、確実でしかも最低限の消費電力で通信を行うことができ、電池寿命を向上することができるという効果を奏する。
【発明を実施するための最良の形態】
【００１９】
実施の形態１．
この発明の実施の形態１に係るリモコン装置について図１から図３までと図３６を参照しながら説明する。図１は、この発明の実施の形態１に係るリモコン装置の構成を示すブロック図である。また、図２は、この発明の実施の形態１に係るリモコン装置の外観を示す図である。なお、各図中、同一符号は同一又は相当部分を示す。
【００２０】
図１及び図２において、１００はこの実施の形態１に係るリモコン装置、１は表示手段となる表示器であり、例えばＬＣＤ（Liquid Crystal Device）等で構成されている。２は表示選択手段となるポインティングデバイスの機能項目選択スイッチであり、例えばロータリエンコーダ等で構成され、オペレータが表示器１上に表示される機能項目を選択するためのものである。
【００２１】
また、同図において、３は決定指示入力手段となる肯定ボタンであり、４は取消指示入力手段となる否定ボタンであり、これらは例えばプッシュスイッチ等で構成されている。肯定ボタン３と否定ボタン４は、機能項目選択スイッチ２で選択された項目を実行するか取り消すかの指示を入力するためのものである。
【００２２】
また、同図において、５は制御手段となる制御部である。制御部５はさらに制御処理部５１及び記憶部５２で構成される。制御処理部５１は、記憶部５２にあらかじめ記憶された画面を表示器１に表示させる。また、制御処理部５１は、その表示に基づいて機能項目選択スイッチ２、肯定ボタン３又は否定ボタン４からオペレータの指示が指示データとして入力されると、その指示データの内容を表示させたり、その指示データに基づいて、記憶部５２に記憶されている別の画面を表示させたりする。さらに、制御処理部５１は、指示データが確定すると、その指示データに基づいて通信部６に各機器に対応する指示コードを送信する。
【００２３】
さらに、同図において、６は通信手段となる通信部であり、制御部５から送信された指示コードを赤外線コードに変換した赤外線信号を発信する。
【００２４】
つぎに、この実施の形態１に係るリモコン装置１００の動作について図面を参照しながら説明する。図３は、この発明の実施の形態１に係るリモコン装置の表示例を示すブロック図である。また、図３６は、この実施の形態１に係るリモコン装置の制御処理部の動作を示すフローチャートである。
【００２５】
制御処理部５１は、記憶部５２に記憶されている図３（ａ）のデータ（表示画面）を読み出し、表示器１に表示させる（ステップＳ１００〜Ｓ１０１）。オペレータが機能項目選択スイッチ２を回転させると、制御処理部５１はその回転移動量に基づいて表示器１上に表示された機能項目の内の１つを反転や網掛け等により他の機能項目と区別して表示させる（ステップＳ１０２〜Ｓ１０３）。オペレータは、目的の機能項目が反転等すると、肯定ボタン３を押下する。図３（ａ）は、「照明」、「空調」及び「ＴＶ」の機能項目の初期画面の中から「空調」が選択された時のものである。
【００２６】
肯定ボタン３が押下されたものと制御処理部５１が判断すると、記憶部５２に記憶されている図３（ｂ）のデータ（表示画面）を読み出し、表示器１に表示させる（ステップＳ１０４〜Ｓ１０８）。ここで、制御処理部５１は、空調の選択が失敗だった場合等、オペレータが否定ボタン４を押下したものと判断すると、記憶部５２に記憶されている図３（ａ）のデータを再度読み出し、表示器１に表示させる（ステップＳ１０９〜Ｓ１１１）。ここでは、空調の選択が正しいもの、つまり目的のものであったとする。図３（ｂ）の画面が表示器１に表示されると、オペレータは、再度、機能項目選択スイッチ２を回転させ、「ＯＮ／ＯＦＦ」、「温度」及び「タイマー」の機能項目の画面の中から一つを選択し、肯定ボタン３を押下する（ステップＳ１０２〜Ｓ１０４）。図３（ｂ）は、「温度」の項目が選択された時のものである。
【００２７】
温度の項目で肯定ボタン３が押下されたものと制御処理部５１が判断すると、記憶部５２に記憶されている図３（ｃ）のデータ（表示画面）を読み出し、表示器１に表示させる（ステップＳ１０４〜Ｓ１０８）。ここで、制御処理部５１は、温度の選択が失敗だった場合等、オペレータが否定ボタン４を押下したものと判断すると、記憶部５２に記憶されている図３（ｂ）のデータを再度読み出し、表示器１に表示させる（ステップＳ１０９〜Ｓ１１１）。ここでは、温度の選択が正しいもの、つまり目的のものであったとする。図３（ｃ）の画面が表示器１に表示されると、オペレータは、機能項目選択スイッチ２を回転させる。制御処理部５１は、その回転方向及び回転移動量に対応して、表示器１に数字を上下させて表示させる。設定したい温度の数字が表示されると、オペレータは肯定ボタン３を押下する。図３（ｃ）は、設定温度として「２２℃」が選択された時のものである。なお、各操作段階で肯定ボタン３が押下されると、内部情報（例えば、各操作段階毎に送信指示の有無が記述してある。）に基づき送信指示があると該当の赤外線信号が送信される（ステップＳ１０５〜Ｓ１０６）。
【００２８】
図３（ｂ）及び図３（ｃ）の画面において、一定時間何も操作が行われなかった場合、制御処理部５１は、図３（ａ）の画面を表示器１に表示させて、自動的に図３（ａ）の初期画面に戻るようにしておく（ステップＳ１１２〜Ｓ１００〜Ｓ１０１）。
【００２９】
以上のように、この実施の形態１に係るリモコン装置１００においては、機能項目選択スイッチ２の回転で機能項目を選択し、選択した機能項目を実行する場合は肯定ボタン３を押下し、取り消す場合は否定ボタン４を押下するようにして、これらを全て制御処理部５１で判断させ、画面及び指示内容を表示器１に表示させるようにしたものである。そして、このリモコン装置１００で制御可能な全ての遠隔操作対象機器において統一の操作としたので、操作ボタンの数が少なく、ボタン検索及び操作手順が簡単であり、高い操作性を得ることができる。
【００３０】
実施の形態２．
この発明の実施の形態２に係るリモコン装置について図４を参照しながら説明する。図４は、この発明の実施の形態２に係るリモコン装置の外観を示す図である。
【００３１】
図４において、１００Ａはこの実施の形態２に係るリモコン装置、１は表示手段となる表示器である。２Ａ及び２Ｂは表示選択手段となる機能項目選択スイッチであり、１対のプッシュスイッチ等で構成され、オペレータが表示器１上に表示される機能項目を機能項目選択スイッチ２Ａにより上に、機能項目選択スイッチ２Ｂにより下に移動させることにより選択するためのものである。３は決定指示入力手段となる肯定ボタンである。また、４は取消指示入力手段となる否定ボタンである。肯定ボタン３と否定ボタン４は、機能項目選択スイッチ２Ａ及び２Ｂで選択された項目を実行するか取り消すかの指示を入力するためのものである。他の図示していない構成、表示画面等は、上記の実施の形態１に係るリモコン装置１００のものと同一である。
【００３２】
つぎに、この実施の形態２に係るリモコン装置１００Ａの動作について説明する。
制御処理部５１は、記憶部５２に記憶されている図３（ａ）のデータ（表示画面）を読み出し、表示器１に表示する。オペレータが機能項目選択スイッチ２Ａ又は２Ｂを押下すると、制御処理部５１は、その操作毎に表示器１上に表示された機能項目の内の１つを反転や網掛け等により他の機能項目と区別して表示させる。機能項目選択スイッチ２Ａは、前記機能項目を上に、機能項目選択スイッチ２Ｂは、前記機能項目を下に移動するものである。
【００３３】
すなわち、図３（ａ）の表示画面で、現在、「空調」が機能項目選択スイッチ２Ａ又は２Ｂで選択されている場合、機能項目選択スイッチ２Ａを押下すると「照明」の機能項目が選択され、機能項目選択スイッチ２Ｂを押下すると「ＴＶ」の機能項目が選択される。オペレータは、上記機能項目選択スイッチ２Ａ及び２Ｂの押下により、目的の機能項目を反転等すると、肯定ボタン３を押下する。図３（ａ）は、「照明」、「空調」及び「ＴＶ」の機能項目の初期画面の中から「空調」が選択された時のものである。
【００３４】
肯定ボタン３が押下されたものと制御処理部５１が判断した後の操作に関しては、上記の実施の形態１と同じなので、ここでは割愛する。
【００３５】
また、図３（ｂ）及び図３（ｃ）の画面において、一定時間何も操作が行われなかった場合、自動的に図３（ａ）の初期画面に戻るようにしておくことは、上記の実施の形態１と同じである。
【００３６】
以上のように、この実施の形態２に係るリモコン装置１００Ａにおいては、機能項目選択スイッチ２Ａ、２Ｂの押下で機能項目を選択し、選択した機能項目を実行する場合は肯定ボタン３を押下し、取り消す場合は否定ボタン４を押下するようにして、これらを全て制御処理部５１で判断させ、画面及び指示内容を表示器１に表示させるようにしたものである。そして、このリモコン装置１００Ａで制御可能な全ての遠隔操作対象機器において統一の操作としたので、操作ボタンの数が少なく、ボタン検索及び操作手順が簡単であり、高い操作性を得ることができる。
【００３７】
また、上記の実施の形態１においては、機能項目選択スイッチ２の回転方向と機能項目の選択の移動方向が直感的でないため、操作初期の不慣れな段階で、機能項目選択スイッチ２の回転方向を誤る可能性があったが、この実施の形態２においては、上ボタンと下ボタンという直感的な操作で行うことができるので、項目選択時に迷いなく操作することができるようになる。
【００３８】
実施の形態３．
この発明の実施の形態３に係るリモコン装置について図５及び図６と、図３７から図３９までを参照しながら説明する。図５は、この発明の実施の形態３に係るリモコン装置の構成を示すブロック図である。
【００３９】
図５において、１００Ｂはこの実施の形態３に係るリモコン装置、５３は機能項目選択スイッチ２Ａ及び２Ｂの連続押下時間を計測する計時手段である。また、５４は連続操作判断部であり、前記計時手段５３の計測した時間と、予め設定された時間を比較して、一致する度に、機能項目選択スイッチ２Ａ又は２Ｂが連続押下されたものと判断し、前記計時手段５３の計時時間をリセットするとともに制御処理部５１に機能項目選択スイッチ２Ａ及び２Ｂの押下時と同等の操作信号を制御処理部５１に出力する。他の図示していない構成、表示画面等は、上記の実施の形態２に係るリモコン装置１００Ａのものと同一である。
【００４０】
つぎに、この実施の形態３に係るリモコン装置１００Ｂの動作について説明する。図６は、テレビのチャンネル選択時の表示画面例と選択項目の全体を示した図である。また、図３７は、この実施の形態３に係るリモコン装置の制御処理部の動作を示すフローチャートである。図３８は、この実施の形態３に係るリモコン装置の計時手段の動作を示すフローチャートである。図３９は、この実施の形態３に係るリモコン装置の連続操作判断部の動作を示すフローチャートである。
【００４１】
リモコン装置１００Ｂは、図６（ｄ）に示す機能項目候補の全体が表示器１の画面の中に収まりきらない場合は、表示器１上に表示された機能項目の一番下が選択された状態でさらに、下の機能項目が、機能項目選択スイッチ２Ｂの押下により選択されたときには、図６（ａ）〜（ｃ）と機能項目候補を１つずつ順に繰り上げて表示器１上に表示する。
【００４２】
テレビの番組選択等の画面のように多くの選択項目の中から、機能項目を選択する場合には、機能項目選択スイッチ２Ａ、２Ｂを機能項目の数だけ押下する必要があり、オペレータにとって、操作上の負担が大きい。すなわち、この実施の形態３に係るリモコン装置１００Ｂにおいて、現在、「ＮＨＫ総合チャンネル」が設定されているとき、これを「ＷＯＷＷＯＷチャンネル」に変更するには、少なくとも１３回機能項目選択スイッチ２Ｂを押下しなければならない。
【００４３】
この実施の形態３に係るリモコン装置１００Ｂを使用することにより、例えば機能項目選択スイッチ２Ｂを押下し続けることにより、計時手段５３により連続押下時間が計時され（ステップＳ３２０〜Ｓ３２２）、この計時値が連続操作判断部５４で判断され、一定の時間を経過したと見なされる場合には、制御処理部５１に機能項目選択スイッチ２Ｂが複数回数押下されたと同じ信号を出力する（ステップＳ３３０〜Ｓ３３４）。その後の動作に関しては、前述の例と同じ（ステップＳ３０２〜Ｓ３１２）なので割愛するが、機能項目選択スイッチ２Ａ又は２Ｂを連続的に押下することにより、機能項目選択スイッチ２Ａ又は２Ｂを複数回押下したと同じ機能を得ることができるので、何度も機能項目選択スイッチ２Ａ又は２Ｂを押下することなく、迅速に機能項目を選択することが可能となる。
【００４４】
実施の形態４．
この発明の実施の形態４に係るリモコン装置について図７及び図８と図４０を参照しながら説明する。図７は、この発明の実施の形態４に係るリモコン装置の構成を示すブロック図である。
【００４５】
図７において、１００Ｃはこの実施の形態４に係るリモコン装置、５５は連続操作受入可否判断手段を示す。その他の部分に関しては、前述の実施の形態と同等である。
【００４６】
図８は、リモコン装置１００Ｃの機能の一例として連続操作受入可否判断手段５５で管理されている連続操作受入可否データベースの構成例を示す図である。また、図４０は、この実施の形態４に係るリモコン装置の連続操作受入可否判断手段の動作を示すフローチャートである。
【００４７】
前述した図６に示すテレビの番組選択場面を例に、ＶＨＦ放送（「ＮＨＫ総合」、「ＮＨＫ教育」、「日本テレビ」、「ＴＢＳ」、「フジテレビ」、「テレビ朝日」、「テレビ東京」）、ＵＨＦ放送（「ＴＶＫテレビ」、「テレビ埼玉」、「千葉テレビ」、「ＭＸテレビ」）、ＢＳ放送（「ＮＨＫＢＳ１」、「ＮＨＫＢＳ２」、「ＷＯＷＷＯＷ」）の各放送グループ毎にスクロールによる操作を一時中断し、ユーザに注意を促したい場合等に用いた例を説明する。
【００４８】
機能項目選択スイッチ２Ａ又は２Ｂを連続押下されると、計時手段５３により連続押下時間が計時される。この計測された時間が連続操作判断部５４で判断され、一定の時間を経過したと見なされる場合には、連続操作判断部５４は、連続操作受入可否判断手段５５に連続操作の受け入れの可否を問い合わせる。
【００４９】
連続操作受入可否判断手段５５は、上記問い合わせを受けると図８に示した連続操作受入可否データベースを参照し、次の機能項目の受け入れ可否状態を参照し、受け入れ「可」であれば、連続操作判断部５４へ受け入れ可の信号を出力する（ステップＳ４００〜Ｓ４０２）。
【００５０】
連続操作判断部５４は、上記受け入れ可の信号を受け取ると、制御処理部５１に、機能項目選択スイッチ２Ａ又は２Ｂの押下信号と同じ信号を出力する。この押下信号を受け取った後の動作に関しては、上記の実施の形態３で説明したので省略する。
【００５１】
連続操作受入可否判断手段５５は、連続操作判断部５４からの問い合わせにより、図８に示す連続操作受入可否データベースを参照し、受け入れ「否」と判断した場合、例えば、「テレビ東京」→「ＴＶＫテレビ」への移動の場合には、連続操作判断部５４に受け入れ「否」の信号を出力する（ステップＳ４００〜Ｓ４０１〜Ｓ４０３）。
【００５２】
次に、連続操作判断部５４は、上記受け入れ否の信号を受け取ったときには、機能項目選択スイッチ２Ｂが連続押下されているときでも、制御処理部５１に対して機能項目選択スイッチ２Ｂの押下信号を出力しないため、連続押下は、受け入れられず画面は、「テレビ東京」が選択されたままになる。
【００５３】
オペレータは、連続押下による機能項目のスクロール動作が止まるので、ＶＨＦ放送からＵＨＦ放送への移行を知ることができる。ＵＨＦ放送の「ＴＶＫテレビ」にチャンネルを移動する際には、再度、機能項目選択スイッチ２Ｂを押下することにより、制御処理部５１に押下信号が入力されるので、ＵＨＦ放送の「ＴＶＫテレビ」を選択することができる。このように、連続操作判断部５４と連続操作受入可否判断手段５５により、連続押下により不用意に機能項目がスクロールされてしまうことを防止することができる。
【００５４】
本実施の形態４では、テレビのチャンネル選択の例を示したが、例えば機能の内にユーザに簡単に操作させたくない項目が或る場合にも、本機能を利用することによって、誤操作による異常運転の少ないリモコン装置を得ることができる。
【００５５】
実施の形態５．
この発明の実施の形態５に係るリモコン装置について図９から図１１までと、図４１を参照しながら説明する。図９は、この発明の実施の形態５に係るリモコン装置の構成を示すブロック図である。
【００５６】
図９において、１００Ｄはこの実施の形態５に係るリモコン装置、５６は項目表示順序管理手段であり、記憶部５２に記憶された機能項目毎に、肯定ボタン３により何回選択されたかを管理し、記憶部５２の機能項目リストの順番を選択頻度順に入れ換える。その他の部分に関しては、前述の実施の形態と同等である。
【００５７】
図１０は、記憶部５２内の選択頻度管理テーブルの一例を示す。図１０に示すの例では、週単位の選択された頻度を管理している一例を示す。また、図１１は、テレビ番組選択画面における表示例を示す。さらに、図４１は、この実施の形態５に係るリモコン装置の項目表示順序管理手段の動作を示すフローチャートである。
【００５８】
つぎに、この実施の形態５に係るリモコン装置１００Ｄの動作を説明する。機能項目選択スイッチ２Ａ又は２Ｂにより、目的の機能項目が選択され、肯定ボタン３により選択されると、項目表示順序管理手段５６は、図１０に示す選択頻度管理テーブルに一定期間（本例では、１週間）内に選択された頻度（回数）を更新する（ステップＳ５００〜Ｓ５０２）。
【００５９】
項目表示順序管理手段５６は、上記更新と同時に、上記選択頻度管理テーブルを参照し、選択頻度順に記憶部５２が管理する機能項目表示リストの表示項目順を書き換える（ステップＳ５０３）。制御処理部５１は、選択頻度順に並べ替えられた機能項目を表示器１に表示する。その結果、選択頻度順に機能項目が並んだ使いやすい画面を得ることができる。
【００６０】
初期段階では、図１１（ａ）及び（ｃ）に示すように、チャンネル番号順に番組候補（機能項目）が並んでいる。例えば、１週間の使用を経た後の記憶部５２内の選択頻度管理テーブルの状態は、図１０に示すようになっている。この図１０は、１週間の間に「ＮＨＫ総合」チャンネルを１０回、「ＮＨＫＢＳ１」チャンネルを７回、「フジテレビ」チャンネルを６回、・・・と選択された一例を示す。
【００６１】
制御処理部５１からの表示要求により、記憶部５２内の選択頻度管理テーブルにより選択頻度順に並べ替えられた機能項目（番組候補）が表示器１に表示され、図１１（ｂ）及び（ｄ）に示すような選択頻度順に機能項目が並んだ使いやすい画面を得ることができる。
【００６２】
通常、機能項目は予め設定された一定の順番で常に表示されているので、希にしか選択しない番組も、機能項目選択スイッチ２Ａ又は２Ｂにより順次選択して目的の番組を選択する必要があり、オペレータに負担が大きかった。この実施の形態５による方法では、選択頻度順に機能項目を並べることができるので、使用時に最小の操作により機能項目を効率的に選択する方法を提供することができる。
【００６３】
実施の形態６．
この発明の実施の形態６に係るリモコン装置について図１２から図１４までと、図４２を参照しながら説明する。図１２は、この発明の実施の形態６に係るリモコン装置の構成を示すブロック図である。
【００６４】
図１２において、表示器１と、機能項目選択スイッチ２と、肯定ボタン３と、否定ボタン４と、通信部６とは図１に示したものと同様の機能を持つものであり、上記実施の形態１において説明したので省略する。制御部５Ａは、実施の形態１の処理機能と記憶内容が多少異なる制御処理部５１Ａ及び記憶部５２Ａで構成されている。
【００６５】
また、同図において、１００Ｅはこの実施の形態６に係るリモコン装置、７は角度センサであり、オペレータがリモコン装置１００Ｅを遠隔操作対象機器に向ける仰角を検出して仰角検出データを出力する。
【００６６】
記憶部５２Ａは、実施の形態１の記憶部５２に記憶されているデータを保持するとともに、角度センサ７から送信される仰角検出データと遠隔操作対象機器との関係データを保持する。制御処理部５１Ａは、実施の形態１の制御処理部５１の動作に加え、角度センサ７からの仰角検出データに基づいて記憶部５２Ａから遠隔操作対象機器を選択して処理をする。本実施の形態６においては、角度センサ７と制御部５Ａが対象機器識別手段の役割を果たす。
【００６７】
図１３は、この実施の形態６に係るリモコン装置１００Ｅの遠隔操作対象機器の選択の様子を示す図である。同図において、２００はテレビ（ＴＶ）、３００はビデオ（ＶＴＲ）、４００は空調機器、５００は照明器具である。また、図４２は、この実施の形態６に係るリモコン装置の制御処理部の動作を示すフローチャートである。
【００６８】
リモコン装置１００Ｅの遠隔操作対象機器は、オペレータから目視できるものが基本であり、またそのリモコン装置１００Ｅが使用されるような空間は、ある程度限られた体積であるので、その空間に設置される機器もそれほど多数ではない。本実施の形態６では、機器選択を自動的に行う方法として、オペレータが機器をリモコン操作しようとした場合、一般的に遠隔操作対象機器に対してリモコン装置１００Ｅを向けることが行われていることを利用している。
【００６９】
つまり、遠隔操作対象機器に向けられるリモコン装置１００Ｅの仰角に基づいて、リモコン装置１００Ｅに遠隔操作対象機器を自動的に判断させ、図３（ａ）のような機器選択の画面の表示及び機器選択の操作を省こうとするものである。なお、この実施の形態６では、遠隔操作対象機器を居間に設置される最も代表的な機器であるテレビ２００、ビデオ３００、空調機器４００、照明器具５００と想定し、機器識別手段として角度センサ７を用いて操作対象を判断するリモコン装置１００Ｅである。
【００７０】
図１４は、角度センサ７の構成図である。この図において、７１は回転センサであり、また７２は振子である。回転センサ７１は実際には回転せず、リモコン装置１００Ｅに固定されている。振子７２が鉛直方向を保つことにより、回転センサ７１が相対的に回転移動したことになり、その回転移動量によりリモコン装置１００Ｅが向けられる仰角を検出することが可能となる。
【００７１】
回転センサ７１の回転移動量に基づいた仰角検出データが入力されると、制御処理部５１Ａは記憶部５２Ａを検索し、その仰角検出データに対応する遠隔操作対象機器を判断する（ステップＳ６００）。制御処理部５１Ａは、遠隔操作対象機器を判断すると、その対象機器における初期画面（例えば、図３（ｂ））を記憶部５２Ａから読み出して表示器１に表示させる（ステップＳ６０１〜Ｓ６０２）。制御処理部５１Ａは、表示器１に遠隔操作対象機器の初期設定画面を表示させてオペレータに指示入力を促す。この表示は否定ボタン４が押下されるまでは、その後、リモコン装置１００Ｅが遠隔操作対象機器に向けられず、仰角が変わっても変更されないものとする。それ以降のリモコン操作手順及び動作は上記の実施の形態１で説明したものと同様であるので省略する。
【００７２】
以上のように、この実施の形態６に係るリモコン装置１００Ｅによれば、遠隔操作対象機器に向けることにより回転センサ７１と振子７２との間の相対的な移動量により検出された仰角検出データに基づいて、制御処理部５１Ａは、遠隔操作対象機器を判断し、その機器に応じた機能項目を初期画面として表示器１に表示させるようにしたので、オペレータが操作する手順が少なくなり、操作性を向上することができる。
【００７３】
実施の形態７．
この発明の実施の形態７に係るリモコン装置について図１５及び図１６を参照しながら説明する。図１５は、この発明の実施の形態７に係るリモコン装置の角度センサの構成を示す図である。なお、他の構成等は上記の実施の形態６と同様である。
【００７４】
この実施の形態７に係るリモコン装置１００Ｆは、角度センサとして、遠隔操作対象機器の台数に応じた個数の転倒センサ７Ａを用いる。
【００７５】
図１５（ａ）は、転倒センサ７Ａの倒立子７４が水平時は、電極７３を短絡することによりＯＮ信号を出力する。また、同図（ｂ）は、転倒センサ７Ａの倒立子７４が一定の傾斜時には、電極７３を開放することにより、ＯＦＦ信号を出力するものである。つまり、転倒センサ７Ａは水平時のみＯＮ信号を出力する。
【００７６】
図１６は、複数の角度を検出するために、転倒センサ７Ａのリモコン装置１００Ｆへの設置例を示す図である。この図において、７Ａａ、７Ａｂ及び７Ａｃは、３種類の仰角を検出するために、別々の傾斜角度を持ってリモコン装置１００Ｆに設置された転倒センサである。この図の例では、転倒センサ７ＡａがＴＶを、転倒センサ７Ａｂが空調機器を、転倒センサ７Ａｃが照明器具をそれぞれ検出する例を示している。
【００７７】
つぎに、この実施の形態７に係るリモコン装置１００Ｆの動作を説明する。各遠隔操作対象機器の配置関係は、図１３に示した配置を前提として説明する。
【００７８】
各転倒センサ７Ａａ〜７Ａｃは、図１６（ａ）〜（ｃ）に示すように、リモコン装置１００Ｆが各機器に向いた仰角の際に、倒立子７４が正立するよう傾斜角度が設置されている。
【００７９】
すなわち、リモコン装置１００Ｆを、図１６（ｄ）に示すようにＴＶに向けた場合（リモコン本体が水平時）には、転倒センサ７ＡａのみがＯＮし、他の転倒センサ７Ａｂ、７Ａｃは、取り付け時の傾斜によりＯＦＦの状態になる。
【００８０】
同様に、リモコン装置１００Ｆを、図１６（ｅ）に示すように空調機器に向けた場合には、転倒センサ７ＡｂのみがＯＮし、他の転倒センサ７Ａａ、７ＡｃはＯＦＦとなる。さらに、リモコン装置１００Ｆを、図１６（ｆ）に示すように照明器具に向けた場合には、転倒センサ７ＡｃのみがＯＮし、他の転倒センサ７Ａａ、７ＡｂはＯＦＦとなる。すなわち、Ｎ種の傾斜角度を検出する場合、Ｎ種の傾斜角度で設置された転倒センサを用いることにより、Ｎ種の角度の検出が可能となる。
【００８１】
転倒センサ７Ａは、前述の角度センサ７に比べて構造が簡単であり小型化が可能である。また、出力が単純なＯＮ、ＯＦＦの信号で取り出せるためその信号の処理系も単純なものとなり、低コスト、かつ小型なリモコン装置に最適な角度センサを実現することができる。
【００８２】
実施の形態８．
この発明の実施の形態８に係るリモコン装置について図１７を参照しながら説明する。図１７は、この発明の実施の形態８に係るリモコン装置の角度センサの構成を示す図である。なお、他の構成等は上記の実施の形態６と同様である。
【００８３】
この実施の形態８に係るリモコン装置１００Ｇは、角度センサとして、歪みセンセ７Ｂを用いる。
【００８４】
図１７において、７Ｂは材質の歪みを抵抗値の変化により検出する歪みセンサ、７５は歪みセンセ７Ｂの荷重支持部（円柱部分）、７６は歪みによる抵抗値の変化を検出する検出回路である。
【００８５】
また、同図において、８は電池ボックス、９はリモコン装置１００Ｇ用の電池、１００ａは歪みセンサ７Ｂ及び電池９が格納された電池ボックス８が設置されているリモコン装置１００Ｇの本体（筺体の底板部分）である。
【００８６】
つぎに、この実施の形態８に係るリモコン装置１００Ｇの動作を説明する。歪みセンサ７Ｂは、リモコン装置１００Ｇの本体１００ａに、リモコン装置１００Ｇを駆動する電池９を格納する電池ボックス８に接するように配置されている。電池ボックス８は、リモコン装置１００Ｇの仰角の変化により、図の垂直方向にごく微少に自由に動くように設置されている。
【００８７】
オペレータがリモコン装置１００Ｇを操作したい機器に向けると、リモコン装置１００Ｇの本体１００ａが傾斜し、それに設置された電池９及び電池ボックス８が次第に傾斜するようになる。前述のように、電池ボックス８は、図の垂直方向（左右の横方向）に自由度を持つように設置されているため、歪みセンサ７Ｂの荷重支持部（円柱部分）７５に、電池９の荷重がかかり、歪みが検出される。電池９の傾斜角（荷重）と歪みの関係は、一意に決定することができるため、歪みセンサ７Ｂを角度センサとして利用することができる。
【００８８】
すなわち、この実施の形態８に係るリモコン装置１００Ｇの角度センサは、非常に小型な歪みセンサ７Ｂと、リモコン装置１００Ｇの動作に必須、かつ荷重の大きい電池９を角度検出用の重りとして利用することで、非常に小型にすることができる。また、前述の実施の形態のように、機械的な駆動部分がないため、高信頼で長寿命な角度センサを得ることができる。
【００８９】
実施の形態９．
この発明の実施の形態９に係るリモコン装置について図１８と図４３を参照しながら説明する。図１８は、この発明の実施の形態９に係るリモコン装置と遠隔操作対象機器の構成を示すブロック図である。また、図４３は、この実施の形態９に係るリモコン装置の制御処理部の動作を示すフローチャートである。
【００９０】
図１８において、表示器１と、機能項目選択スイッチ２と、肯定ボタン３と、否定ボタン４とは図１に示したものと同様の機能を持つものであり、上記の実施の形態１において説明したので省略する。１００Ｈはこの実施の形態９に係るリモコン装置、４００は空調機器等の遠隔操作対象機器である。
【００９１】
また、同図において、６Ａはリモコン側の送信部であり、リモコン装置１００Ｈの制御処理部５１Ｂから送信される指示コードを赤外線信号に変換して発信する。４０１は機器側の受信部であり、リモコン側の送信部６Ａから発信された赤外線信号を受信する。
【００９２】
また、同図において、４０４は機器側の受信部４０１が受信した赤外線信号を機器の制御信号に変換して出力する翻訳制御部である。また、４０３は機器識別コード発信部であり、各機器毎に予め定められた機器識別コードを常時生成する。
【００９３】
また、同図において、４０４は機器側の送信部であり、機器識別コード発信部４０３で生成された機器識別コードを赤外線信号に変換して常時発信している。
【００９４】
さらに、同図において、６Ｂはリモコン側の受信部であり、機器側の送信部４０４から送信された赤外線信号を機器識別コードに変換して制御処理部５１Ｂに出力する。
【００９５】
制御処理部５１Ｂは、上記の実施の形態１で説明した制御処理部５１の動作に加え、リモコン側の受信部６Ｂが受信した機器識別コードに基づいて記憶部５２Ｂを検索し、その機器識別コードに対応する遠隔操作対象機器を選択して処理をする。記憶部５２Ｂは、実施の形態１の記憶部５２に保持されているデータに加え、機器識別コードと遠隔操作対象機器との関係データを保持する。この実施の形態９においては、リモコン側の受信部６Ｂと制御部５Ｂが対象機器識別手段の役割を果たす。
【００９６】
次に、この実施の形態９に係るリモコン装置１００Ｈの遠隔操作対象機器の自動識別動作について説明する。機器側の送信部４０４は、機器識別コード発信部４０３が生成した機器識別コードを赤外線信号に変換し、常時発信している。機器側の送受信部とリモコン側の送受信部は相互に指向性を有している。
【００９７】
オペレータが遠隔操作対象機器（空調機器等）４００の送信部４０４にリモコン装置１００Ｈを向けると、機器側の送信部４０４とリモコン側の受信部６Ｂとが位置的に正対し、機器側の送信部４０４から発信されている赤外線信号をリモコン側の受信部６Ｂが受信する。
【００９８】
リモコン側の受信部６Ｂは、受信した赤外線信号を機器識別コードに変換し、制御処理部５１Ｂに送信する（ステップＳ９００）。制御処理部５１Ｂでは、受信部６Ｂから送信された機器識別コードに基づいて記憶部５２Ｂを検索し、機器識別コードに対応する遠隔操作対象機器を判断する（ステップＳ９０１）。
【００９９】
制御処理部５１Ｂは、該当の遠隔操作対象機器を判断すると、その対象機器における初期画面（例えば、図３（ｂ））を記憶部５２Ｂから読み出して表示器１に表示させる（ステップＳ９０２〜Ｓ９０３）。制御処理部５１Ｂは、表示器１に遠隔操作対象機器の初期設定画面を表示させてオペレータに指示入力を促す。この表示は否定ボタン４が押下されるまでは、リモコン装置１００Ｈと遠隔操作対象機器４００がその後正対していなくても変更されない。それ以降のリモコン操作手順及び動作は上記の実施の形態１で説明したものと同様であるので省略する。
【０１００】
以上のように、この実施の形態９に係るリモコン装置１００Ｈによれば、機器毎に生成された機器識別コードを変換した赤外線信号を機器側の送信部４０４から常時発信しておき、その赤外線信号を受信したリモコン側の受信部６Ｂが機器識別コードに変換する。次に、制御処理部５１Ｂがその機器識別コードに基づいて記憶部５２Ｂを検索し、該当の遠隔操作対象機器４００を判断し、その機器に応じた機能項目を持つ初期画面を表示器１に表示させるようにしたので、遠隔操作対象機器４００に向けるだけで操作手順が少なくなり、操作性を向上することができる。
【０１０１】
実施の形態１０．
この発明の実施の形態１０に係るリモコン装置について図１９及び図２０を参照しながら説明する。図１９は、この発明の実施の形態１０に係るリモコン装置の構成を示すブロック図である。
【０１０２】
図１９において、表示器１と、機能項目選択スイッチ２と、肯定ボタン３と、否定ボタン４と、通信部６とは実施の形態１で説明したものと同様の動作を行うため、説明を省略する。１００Ｊはこの実施の形態１０に係るリモコン装置、１０は振動発生手段となる触覚応答装置、１１は発音手段となる発音器である。
【０１０３】
図２０は、この実施の形態１０に係るリモコン装置１００Ｊの触覚応答装置１０を示す図である。この触覚応答装置１０は、例えば、ポケットベル等の着信振動に使用されているような偏芯した分銅１１の回転軸をモータ１２で回転させることにより、振動を発生させるものである。触覚応答装置１０は、制御処理部５１Ｃから送信される振動データに基づいて振動を発生させる。また、発音器１１は、制御処理部５１Ｃから送信される発音データに基づいて発音する。
【０１０４】
次に、この実施の形態１０に係るリモコン装置１００Ｊの動作について説明する。表示画面は図３（ａ）を用いて説明する。オペレータが機能項目選択スイッチ２を回転させると、制御処理部５１Ｃは、その回転移動量に基づいて表示器１上に表示された機能項目の内の１つを反転や網掛け等により他の機能項目と区別して表示させる。これにより、オペレータに視覚的教示が行われる。
【０１０５】
また、制御処理部５１Ｃは、機能項目選択スイッチ２の回転移動量が一定量毎に触覚応答装置１０及び発音器１１にそれぞれ振動データ及び発音データを送信し、リモコン装置１００Ｊの操作教示を触覚的及び聴覚的に行う。
【０１０６】
さらに、肯定ボタン３や否定ボタン４がオペレータにより押下されると、制御処理部５１Ｃは上記の機能項目選択時とは別の振動データ及び発音データを触覚応答装置１０及び発音器１１に送信し、振動及び発音させて、オペレータにリモコン装置１００Ｊの操作教示を触覚的及び聴覚的に行う。
【０１０７】
以上のように、この実施の形態１０に係るリモコン装置１００Ｊによれば、機能項目選択スイッチ２による機能選択時や、肯定ボタン３、否定ボタン４の押下による指示データ入力時に、触覚応答装置１０を振動させ、また発音器１１により発音させるようにしたもので、視覚的教示に加え、触覚的及び聴覚的にもオペレータに教示を行うことが可能となり、より多くの機器操作の実感を与えることにより誤操作の防止を図ることができる。また、統一的な操作手順を加え、同じ指示に対しては同じ教示、別の指示に対しては別の教示を与えることにより、視覚による情報取得が困難なときでも、共通的に使用できる操作性を備えたものである。
【０１０８】
実施の形態１１．
この発明の実施の形態１１に係るリモコン装置について図２１を参照しながら説明する。図２１は、この発明の実施の形態１１に係るリモコン装置の触覚応答装置を示す図である。なお、リモコン装置の他の構成等は、上記の実施の形態１０と同様である。
【０１０９】
図２１において、１０Ａは触覚応答装置、１０ｃは制御処理部５１Ｃからの触覚制御信号によりソレノイドコイル１０ｄに通電する駆動回路、１０ｅはソレノイドコイル１０ｄにより駆動される磁性体を材質とする駆動軸である。
【０１１０】
ソレノイドコイル１０ｄは、制御処理部５１Ｃからの触覚制御信号により制御され、ソレノイドコイル１０ｄに電流が流れることにより、ソレノイドコイル１０ｄの中心に配置された駆動軸１０ｅが移動し、リモコン装置１００Ｋの筺体を叩くことにより、オペレータに触覚を提示すものである。すなわち、この実施の形態１１に示したリモコン装置１００Ｋにおいても、上記の実施の形態１０と同等の効果を得ることができる。
【０１１１】
実施の形態１２．
この発明の実施の形態１２に係るリモコン装置について図２２を参照しながら説明する。図２２は、この発明の実施の形態１２に係るリモコン装置の触覚応答装置を示す図である。なお、リモコン装置の他の構成等は、上記の実施の形態１０と同様である。
【０１１２】
図２２において、１０Ｂは触覚応答装置、１０ｆはモータ、１０ｇはモータ１０ｆの駆動軸に取り付けられた一対の羽状のバネである。
【０１１３】
触覚応答装置１０Ｂのモータ１０ｆは、図１９に示す制御処理部５１Ｃからの触覚制御信号により制御される。この触覚制御信号がモータ１０ｆに供給されることにより、モータ１０ｆにとりつけられた羽状のバネ１０ｇが回転し、このバネ１０ｇがリモコン装置１００Ｌの筺体を叩くことで触覚を提示するものである。すなわち、この実施の形態１２で示したリモコン装置１００Ｌにおいても、上記の実施の形態１０と同様の効果を得ることができる。
【０１１４】
実施の形態１３．
この発明の実施の形態１３に係るリモコン装置について図２３を参照しながら説明する。図２３は、この発明の実施の形態１３に係るリモコン装置の触覚応答装置を示す図である。なお、リモコン装置の他の構成等は、上記の実施の形態１０と同様である。
【０１１５】
図２３において、１０Ｃは触覚応答装置、１０ｈはソレノイドコイル、１０ｉはソレノイドコイル１０ｈにより駆動される磁性体材質でできた駆動軸である。
【０１１６】
ソレノイドコイル１０ｈ及び駆動軸１０ｉは、触覚を提示したい、肯定ボタン３、否定ボタン４などの操作スイッチ１２の下に設置される。また、ソレノイドコイル１０ｈの駆動軸１０ｉは、操作スイッチ１２のキートップを貫通して、オペレータの指先に直接あたるように配置されている。
【０１１７】
ソレノイドコイル１０ｈは、図１９に示す制御処理部５１Ｃからの触覚制御信号により制御される。この触覚制御信号がソレノイドコイル１０ｈに供給されることにより、ソレノイドコイル１０ｈに電流が流れ、ソレノイドコイル１０ｈの中心に配置された駆動軸１０ｉが移動し、オペレータが操作している操作スイッチ１２を貫通して、オペレータの指先を直接刺激することにより、触覚を提示するものである。すなわち、この実施の形態１３に示したリモコン装置１００Ｍにおいても、上記の実施の形態１０と同様の効果を得ることができる。
【０１１８】
実施の形態１４．
この発明の実施の形態１４に係るリモコン装置について図１９を参照しながら説明する。この実施の形態１４と上記の実施の形態１０の相違点は、発音器の機能のみである。
【０１１９】
この実施の形態１４に係るリモコン装置１００Ｎは、機能項目選択スイッチ２の回転による機能項目選択時や、肯定ボタン３又は否定ボタン４の押下による指示データ入力時に、選択されている機能項目、あるいは選択されている選択範囲の中の値などを発音器１１で読み上げるものである。
【０１２０】
例えば、図３（ａ）に示された表示画面において、発音器１１は、機能項目選択スイッチ２により機能項目「照明」、「空調」、「ＴＶ」が選択される度に、“しょうめい”、“くうちょう”、“てれび”というように、発音する。
【０１２１】
同様に、図３（ｃ）に示された表示画面において、発音器１１は、機能項目「２２℃」、「２１℃」、「２０℃」を“にじゅうにど”、“にじゅういちど”、“にじゅうど”のように直接音声で読み上げることにより知らせるものである。
【０１２２】
この実施の形態１４によれば、音声のみでその操作内容が解るために、暗闇の元でのリモコン操作が可能になる他、視覚障害がある者も、聴覚と触覚で操作しうるリモコン装置を得ることができる。
【０１２３】
実施の形態１５．
この発明の実施の形態１５に係るリモコン装置について図２４から図２６までと、図４４を参照しながら説明する。図２４は、この発明の実施の形態１５に係るリモコン装置の構成を示すブロック図である。また、図２５は、この発明の実施の形態１５に係るリモコン装置の外観を示す図である。
【０１２４】
図２４及び図２５において、表示器１と、機能項目選択スイッチ２と、肯定ボタン３と、否定ボタン４と、通信部６とは上記の実施の形態１で説明したものと同様の動作を行うため、説明を省略する。１００Ｐはこの実施の形態１５に係るリモコン装置、１３は特性選択手段となる人選択スイッチであり、オペレータは自分が対象とする趣向に応じた選択機能の数を選択できるようにするスイッチである。この実施の形態１５では、人選択スイッチ１３は年齢層により３つに区別されている。
【０１２５】
この実施の形態１５では、平均的な家族構成の家庭におけるリモコン装置１００Ｐの使用例に基づいて説明する。家庭では機器を高度に使いたいという要求の強い青年層から、一般に基本的操作しか行わない高齢者までがリモコン装置１００Ｐを使用する対象となる。
【０１２６】
例えば、テレビ操作時では、一般に高齢者を含め、多くの人にとって必要となる機能は、電源のオン／オフ、音量調整又はチャンネル選択のみである。したがって、これ以外の機能については操作をする上で邪魔になるだけである。また、表示器１上の表示面積上の制限から機能を付加する毎に相対的に各機能項目の表示面積が小さくならざるを得ず、選択機能が増えると機能項目の識別等が困難であり、操作性を悪化させる一因となっている。
【０１２７】
一方、例えば青年層等のマニアックな志向をもつ人にとっては、上記のような基本機能だけでなく、ビデオデッキ等の映像ソースからの出力を選択したり、明るさ、色合い等の映像の細かな設定を選択できるような高度な機能を付加したリモコン装置が要求されることがある。
【０１２８】
このようにあらゆるオペレータの趣向に応じて機能が選択できるリモコン装置を満足するために、この実施の形態１５に係るリモコン装置１００Ｐは、オペレータが要求する趣向に応じて機能項目の数の変更が可能な人選択スイッチ１３を設け、この人選択スイッチ１３に設定された情報にしたがって機能項目の数の増減と表示器１に表示する機能項目の大きさとを可変できるものである。
【０１２９】
図２６（ａ）〜（ｃ）は、人選択スイッチ１３の操作による画面表示例である。図２５及び図２６は、遠隔操作対象機器として空調機器が選択されたものである。また、図４４は、この実施の形態１５に係るリモコン装置の制御処理部の動作を示すフローチャートである。
【０１３０】
以下、人選択スイッチ１３の画面表示について説明する。オペレータが人選択スイッチ１３を「通常モード」に設定する。人選択スイッチ１３により通常モードが選択されたと判断すると、制御処理部５１Ｄは、記憶部５２Ｄを検索し、図２６（ｂ）の表示画面を表示器１に表示させる（ステップＳ１５００〜Ｓ１５０２）。通常モードでの設定の場合、使用頻度が高い標準的な機能項目である「ＯＮ／ＯＦＦ」、「温度」、「タイマー」設定が一般的な標準の大きさで表示される。
【０１３１】
オペレータが例えば高齢者の場合、人選択スイッチ１３を「高齢者モード」に設定する。人選択スイッチ１３により高齢者モードが選択されたと判断すると、制御処理部５１Ｄは、記憶部５２Ｄを検索し、図２６（ｃ）の表示画面を表示器１に表示させる（ステップＳ１５００〜Ｓ１５０３〜Ｓ１５０４）。高齢者モードでの設定の場合、空調機器として最も基本的機能である「ＯＮ／ＯＦＦ」と「温度」設定が通常モードよりも見やすいように、大きく表示される。
【０１３２】
オペレータが例えば青年層の場合、人選択スイッチ１３を「マニアモード」に設定する。人選択スイッチ１３によりマニアモードが選択されたと判断すると、制御処理部５１Ｄは、記憶部５２Ｄを検索し、図２６（ａ）の表示画面を表示器１に表示させる（ステップＳ１５００〜Ｓ１５０５〜Ｓ１５０６）。マニアモードでの設定の場合、標準的機能項目だけではなく、さらに「風量」設定や「風向」設定等の細かな機能項目が追加的に表示される。機能項目の表示が多くなるため必然的に表示が小さくなるが、より詳細な空調設定が可能になる。
【０１３３】
また、人選択スイッチ１３の各モードに対して機能項目の初期値や設定可能範囲を可変することにより、より安全で操作性の高いリモコン装置を得ることが可能である。
【０１３４】
例えば、人選択スイッチ１３が「通常モード」に設定されている場合は、空調機器の温度設定の範囲を「１８℃〜２８℃」までとし、制御処理部５１Ｄはそれ以外の数字を表示させないようにする。また、人選択スイッチ１３が「高齢者モード」に設定されている場合には、温度設定の範囲を「２０℃〜２４℃」までとする。このようにモードに応じて設定値を変化させることにより、肌理細やかな操作性を提供することができる。以上、空調機器の温度設定に関して説明したが、テレビの音量等の初期設定においても有効な手段である。
【０１３５】
以上のように、この実施の形態１５によれば、オペレータの特性や趣向等に応じて機能項目の表示数を変更し、表示画面の選択、表示の大きさを選択できるようにしたので、例えば表示が大きく見やすい方がいい人や、基本機能だけで十分な人にとっては、「高齢者モード」を選択することにより、見やすくて基本機能だけを選択しやすい画面を表示することができる。
【０１３６】
実施の形態１６．
この発明の実施の形態１６に係るリモコン装置について図２７から図２９までと、図４５を参照しながら説明する。図２７は、この発明の実施の形態１６に係るリモコン装置の構成を示すブロック図である。また、図２８は、この発明の実施の形態１６に係るリモコン装置の外観を示す図である。さらに、図４５は、この実施の形態１６に係るリモコン装置の制御処理部の動作を示すフローチャートである。
【０１３７】
図２７及び図２８において、表示器１と、機能項目選択スイッチ２と、肯定ボタン３と、否定ボタン４と、通信部６は、上記の実施の形態１で説明したものと同様の動作を行うため、説明を省略する。
【０１３８】
同図において、１４はパターン操作モード選択手段となる生活パターン操作モード選択ボタンであり、「生活パターン操作モード」又は「機器選択操作モード」のいずれかを選択できるようにしたものである。
【０１３９】
機器選択操作モードとは、上記の実施の形態１等で説明したような機器毎のリモコン操作を行うようにするモードである。また、生活パターン操作モードとは、自分の生活パターンによりあらかじめ設定しておいた複数の機器の遠隔操作を押下ボタンを少なくして行えるようにしたものである。
【０１４０】
図２７において、制御部５Ｅは、制御処理部５１Ｅ及び記憶部５２Ｅで構成されている。制御処理部５１Ｅは、図１の制御処理部５１の動作だけでなく、生活パターン操作モード選択ボタン１４により、選択されたモードに基づいて処理を行うものである。また、記憶部５２Ｅは記憶部５２に保持されたデータに加え、生活パターンモードの際に実行される手順の指示コードが保持されている。
【０１４１】
日常生活においては、あるパターンで複数の機器を操作する場合がある。例えば、ビデオを見ようとする場合、テレビの電源及びビデオの電源をオンし、テレビのチャンネルを外部入力にする動作が行われる。このような複数の機器を操作するために毎回一定のパターンにしたがってリモコン装置を操作するのは手間と時間を要する。
【０１４２】
そこで、この実施の形態１６においては、生活パターン操作モード選択ボタン１４を設け、上記実施の形態１のように各機器毎の機能項目を表示し、対象機器のみを遠隔操作する機器選択操作モードと、日常の生活場面に応じて複数の機器を１回の操作で遠隔操作する生活パターン操作モードとを選択できるようにしたものである。
【０１４３】
図２９は、生活パターン操作モード選択ボタン１４を付加したリモコン装置の画面表示例である。「機器選択操作モード」選択時は、同図（ａ）に示すように上記実施の形態１で説明したものと同様の表示及び動作を行う（ステップＳ１６００〜Ｓ１６０１）。生活パターン操作モード選択ボタン１４を操作すると、制御処理部５１Ｅは、同図（ｂ）のデータ（表示画面）を記憶部５２Ｅから読み出し、表示器１に表示させる（ステップＳ１６０３）。
【０１４４】
ここでは「ビデオ鑑賞」という機能項目に対応する、
（１）テレビ電源オンと、
（２）ビデオ電源オンと、
（３）テレビ入力ソースビデオ選択と、
（４）照明７０％調光
の指示コードが記憶部５２Ｅに保持されているとする。
【０１４５】
機能項目選択スイッチ２からビデオ鑑賞の機能項目が選択されると、制御処理部５１Ｅは、記憶部５２Ｅを検索し、ビデオ鑑賞に対応する指示コード（１）〜（４）を読み出し、順番に通信部６に出力する（ステップＳ１６０２）。通信部６は、その指示コードを赤外線コードにして赤外線信号として発信する。
【０１４６】
以上のように、この実施の形態１６によれば、生活場面に応じて複数の機器をあるパターンに基づいて操作する「生活パターン操作モード」の機能項目をあらかじめ設定しておき、生活パターン操作モード選択ボタン１４を設けて、生活パターン操作モードが設定されると、制御処理部５１Ｅは、記憶部５２Ｅに記憶された設定情報に基づいて設定された機器に指示コードを変換した赤外線信号を送信して複数の機器を１度の操作で遠隔操作できるようにしたので、手順及び操作が簡単であり、手間と時間を省くことができる。
【０１４７】
実施の形態１７．
なお、上述の各実施の形態においては、機能項目選択スイッチ２と肯定ボタン３とを別々のスイッチで構成する例を示したが、本発明ではそれに限定されるものではなく、機能項目選択スイッチ２に肯定ボタン３を組み込んだ構成を採ることでさらにリモコン装置上の操作ボタンを削除することもできる。
【０１４８】
実施の形態１８．
また、上述の各実施の形態においては、機能項目選択スイッチ２は１次元方向のロータリエンコーダで構成しているが、本発明はそれに限定されるものではなく、２次元方向に移動させることが可能なロータリエンコーダを用いて機能項目を選択させるようにしてもよい。また、ロータリエンコーダで構成している機能項目選択スイッチ２を例えばボタンにより構成させ、ボタンが押下される度に機能項目を識別表示させるようにしてもよい。
【０１４９】
実施の形態１９．
さらに、上述の各実施の形態においては、機能項目選択スイッチ２により選択された機能項目を識別表示させるようにしているが、本発明はそれに限定されるものではなく、機能項目選択スイッチ２の選択により、表示器１に表示される画面全体を変更表示させるようにしてもよい。
【０１５０】
実施の形態２０．
この発明の実施の形態２０に係るリモコン装置について図３０と図４６を参照しながら説明する。図３０は、この発明の実施の形態２０に係るリモコン装置の構成を示すブロック図である。また、図４６は、この実施の形態２０に係るリモコン装置の発光素子制御回路の動作を示すフローチャートである。
【０１５１】
図３０において、６１、６２及び６３は通信部６Ｃを構成する赤外線発光素子であり、制御処理部５１からの通信制御信号を元に、発光素子制御回路５７により駆動され、赤外線を発光し通信を行うものである。また、１００Ｒはこの実施の形態２０に係るリモコン装置である。
【０１５２】
以下、この実施の形態２０の動作を、操作対象を照明器具、空調機器、及びテレビ（ＴＶ）と想定した場合に関して説明する。
【０１５３】
蛍光灯を用いた照明器具は、点灯直後に、高い強度の赤外線を発光することが知られている。従って、該機器を赤外線を用いて制御する場合には、上記照明器具本体から発光される赤外線より強い赤外光を通信に使用する必要がある。そこで、通常、３個の赤外線発光素子６１〜６３を同時に点灯させることにより、強めた赤外線を用いて送信している。
【０１５４】
上記の照明器具にくらべて、空調機器や、テレビは、通信の邪魔になる赤外線の発光が少ないので、弱い赤外線（通常、１〜２個の赤外線素子）を用いる。
【０１５５】
複数の機器を対象とするリモコン装置においては、どの機器に対しても確実に通信を行い制御するために、一番強度を必要とされる機器を基準に必要な赤外線の発光量の設計がなされている。しかしながら、リモコン装置は、持ち運びの便のために、その電源として電池が用いられ、高い強度の発光を行うために電池の消耗を来たし、電池寿命が短くなるという不都合をもたらしている。また、複数の機器を１つのリモコン装置で操作するために、単体の機器を操作するリモコン装置に比べて操作回数も増大し、著しく電池寿命が短くなってしまうという課題があった。
【０１５６】
この実施の形態２０に係るリモコン装置１００Ｒは、対象機器毎に必要とされる赤外線発光素子の数を制御することで、最小の消費電力で、確実な通信を行おうとするものである。
【０１５７】
機能項目選択スイッチ２により、制御対象機器として照明器具が選択され、あるいは角度センサ７により、制御対象機器として照明器具が識別され、この照明器具の点灯制御等がなされた場合には、制御処理部５１から、発光素子制御回路５７に通信制御信号と対象が照明器具であることが通知される。
【０１５８】
発光素子制御回路５７は、上記通知に基づいて、予め設定された機器毎の発光強度の管理データから、必要な発光強度が得られる素子数を選択し、通信部６Ｃの各発光素子６１、６２、６３に対して駆動指令を送出する（ステップＳ２０００〜Ｓ２００２）。照明器具の場合、前述の理由により、通常、設計最大の発光量が要求されるため、赤外線発光素子６１、６２及び６３のすべてをその送信に使用する。
【０１５９】
機能項目選択スイッチ２により、制御対象機器としてテレビ又は空調機器を選択された場合、あるいは角度センサ７により、制御対象機器としてテレビ又は空調機器が識別された場合には、制御処理部５１から、発光素子制御回路５８に通信制御信号と対象がテレビあるいは空調機器であることが通知される。発光素子制御回路５７は、上記通知に基づいて、予め設定された機器毎の発光強度の管理データから、必要な発光強度が得られる素子数を選択し、通信部６Ｃの各発光素子６１、６２、６３に対して駆動指令を送出する（ステップＳ２００３）。テレビ、空調機器の場合、前述の理由により、少量の赤外線発光で通信が可能なため、例えば発光素子６１のみをその通信に使用する。
【０１６０】
上述のように対象機器に対して、使用する赤外線発光素子の数を最適に制御することで、確実でしかも最低限の消費電力で通信を行い、電池の寿命を延ばすことができるリモコン装置を得ることができる。
【０１６１】
実施の形態２１．
なお、上述の実施の形態２０においては、赤外線発光量の調整を赤外線発光素子の数で制御する構成を示したが、発光素子に対する駆動電流を制御することにより、赤外線発光量の制限を行っても同等の効果を得ることができる。
【０１６２】
実施の形態２２．
この発明の実施の形態２２に係るリモコン装置について図３１と図４７を参照しながら説明する。図３１は、この発明の実施の形態２２に係るリモコン装置の構成を示すブロック図である。また、図４７は、この実施の形態２２に係るリモコン装置の発光素子制御回路の動作を示すフローチャートである。
【０１６３】
上記電池寿命が短くなることの対応として、できるだけ少ない光量で、できるだけ遠くにある機器を操作するために、配光範囲を狭くしたＬＥＤが使用される場合も多い。この場合、配光が狭いために、正確に機器方向に向けて操作する必要が発生した。
【０１６４】
また、ボタン操作による手振れにより、光軸中心がずれてしまうことにより、機器を安定して操作できなくなるという問題が発生していた。
【０１６５】
水平方向に設置されるテレビに関しては、比較的機器に向けて操作がしやすいが、空調機器、照明器具を操作する場合には、視差により、光軸の中心からそれてしまい操作できなくなるなど、機器の設置位置による操作の不安定さも発生する。
【０１６６】
特に、高齢者の場合には、手、腕を挙げて操作しなければならなくなる空調機器、照明器具の操作は、加齢による腕、指の力の衰えにより、大きな手振れを発生してしまいこれらの課題は顕著なかたちで現れてくる。
【０１６７】
図３１において、６４及び６６は広配光の赤外線発光素子、６５は狭配光の赤外線発光素子である。また、１００Ｓはこの実施の形態２２に係るリモコン装置である。
【０１６８】
以下、この実施の形態２２に係るリモコン装置１００Ｓの動作について、操作の対象を空調機器、照明器具、テレビと想定した場合に関して説明する。
【０１６９】
例えば、機能項目選択スイッチ２により、遠隔操作対象機器として照明器具が選択された場合、あるいは角度センサ７により、遠隔操作対象機器として照明器具が識別された場合には、制御処理部５１から、発光素子制御回路５７Ａに通信制御信号と対象が照明器具であることが通知される。
【０１７０】
発光素子制御回路５７Ａは、上記通知に基づいて、予め設定された機器毎の配光管理データベースを参照し、必要な配光、発光強度が得られる素子を選択し、通信部６Ｄの各発光素子に対して駆動指令を送出する（ステップＳ２２００〜Ｓ２２０１）。照明器具の場合、前述の理由により、広い配光、最大の発光量が要求されるため、発光素子６４、６５、６６のすべてを駆動する。
【０１７１】
機能項目選択スイッチ２により、遠隔操作対象機器として空調機器が選択された場合、あるいは角度センサ７により、遠隔操作対象機器として空調機器が識別された場合には、制御処理部５１から、発光素子制御回路５７Ａに通信制御信号と操作対象として空調機器が通知される。
【０１７２】
発光素子制御回路５７Ａは、上記通知に基づいて、予め設定された機器毎の配光管理データベースから、必要な配光、発光強度が得られる素子の組み合わせを選択し、通信部６Ｄの各発光素子に対して駆動指令を送出する（ステップＳ２２００〜Ｓ２２０１）。空調機器の場合、上述の理由により、比較的広い配光が必要とされるため、発光素子６４、６６を駆動する。また、テレビの場合には、比較的少量で、狭い配光範囲の発光で十分なため、発光素子６５だけを駆動する。
【０１７３】
このように対象機器に対して、異なる配光特性を持った赤外線発光素子を駆動することで、各機器に対して、確実でしかも最低限の消費電力で、リモコン操作を行うことによりその電池寿命を長くしたリモコン装置を得ることができる。
【０１７４】
実施の形態２３．
この発明の実施の形態２３に係るリモコン装置について図３２を参照しながら説明する。図３２は、この発明の実施の形態２３に係るリモコン装置の構成を示すブロック図である。
【０１７５】
人選択スイッチ１３による動作は、上記の実施の形態１５に示した内容と同じなので説明を省略する。オペレータが要求する機能に応じて機能項目の変更が可能な人選択スイッチ１３を設け、人選択スイッチ１３に設定された情報（高齢者モード、通常モード、マニアモード）と、選択されている機器情報とにより、通信部６Ｄの配光、発光強度を行うことより、さらに確実な操作性とその電池寿命を改善することのできるリモコン装置を得ることができる。
【０１７６】
実施の形態２４．
この発明の実施の形態２４に係るリモコン装置について図３３と図４８を参照しながら説明する。図３３は、この発明の実施の形態２４に係るリモコン装置の構成を示すブロック図である。また、図４８は、この実施の形態２４に係るリモコン装置の発光素子制御回路の動作を示すフローチャートである。
【０１７７】
図３３において、５８は過去（前回）の操作対象機器及び操作対象機能と、今回の操作対象機器及び操作対象機能とを記憶する操作履歴記憶手段を示す。
【０１７８】
オペレータが、機能項目選択スイッチ２を回転操作すると、制御処理部５１は、記憶部５２に予め記憶された画面を表示器１に表示する。その表示に基づいて、制御処理部５１は、機能項目選択スイッチ２、肯定ボタン３または否定ボタン４からオペレータの指示が指示データとして入力されるとその指示データの内容を表示させたり、その指示データに基づいて、記憶部５２に記憶されている別の画面を表示させたりする。さらに、指示データが確立すると発光素子制御回路５７Ｃに指示コードを出力する。
【０１７９】
発光素子制御回路５７Ｃは、その指示データから、その内容である操作対象機器及び操作対象機能と、操作履歴記憶手段５８に格納された前回操作時の操作対象機器及び操作対象機能とを比較し、異なる場合は、機器毎の発光強度の管理データを参照し、初期設定値での発光量の駆動（例えば、発光素子６１のみを駆動する）を通信部６Ｃに指示する（ステップＳ２４０３）。この通信部６Ｃは、その指示に従って、指示コードを赤外線コードに変換した赤外線信号を出力する。
【０１８０】
また、発光素子制御回路５７Ｃは、上記指示データの内容である操作対象機器及び操作対象機能と、操作履歴記憶手段５８に格納された前回操作時の操作対象機器及び操作対象機能とを比較し、同じである場合には、通常の発光量よりも多い発光量での駆動（例えば、発光素子６１、６２の駆動）を通信部６Ｃに指示するとともに、機器毎の発光強度の管理データを書き換える（ステップＳ２４００〜Ｓ２４０２）。通信部６Ｃは、その指示に従って、指示コードを赤外線コードに変換した赤外線信号を出力する。以降は、上記書き換えられた発光強度の管理データにもとづいた発光量で赤外線通信が実行される。
【０１８１】
以上のように、この実施の形態２４によれば、赤外線通信の発光量が遠隔操作対象機器の操作に不足し上記機器のリモコン操作に失敗した場合を、同じ機器に対して同じ操作を繰り返すということにより代替的に検出し、同じ操作を繰り返した場合には、順次発光量を増加することで、確実かつ安定に操作しうるリモコン装置を得ることができる。
【０１８２】
実施の形態２５．
この発明の実施の形態２５に係るリモコン装置について図３４及び図３５と図４９を参照しながら説明する。図３４は、この発明の実施の形態２５に係るリモコン装置の構成を示すブロック図である。また、図３５は、この実施の形態２５に係るリモコン装置をトイレ空間に適用した場合の各機器の配置を表す図である。さらに、図４９は、この実施の形態２５に係るリモコン装置の制御処理部の動作を示すフローチャートである。
【０１８３】
図３４及び図３５において、１５は動作検出センサ、１００Ｖはこの実施の形態２５に係るリモコン装置である。また、２１０は照明器具、２２０は換気扇、２３０は洗浄機能付便座である。動作検出センサ１５は、例えば、赤外線等の光により人の動作を検出するセンサや、入口ドアの開閉で入室／退室を検出するセンサや、便座の接触／非接触で着座／起立を検出するセンサなどである。
【０１８４】
動作検出センサ１５は、人のトイレ空間への入室／退室、洗浄機能付便座２３０への着座／起立を検出する。この動作検出センサ１５の各動作検出に関する各機器への動作指示は、予め下記のように設定されているものとする。
【０１８５】
トイレ空間への入室を検出した場合は、照明器具２１０をＯＮする。
【０１８６】
洗浄機能付便座２３０への着座を検出した場合は、換気扇２２０をＯＮする。
【０１８７】
洗浄機能付便座２３０からの起立を検出した場合は、便座２３０の自動洗浄機能をＯＮする。
【０１８８】
トイレ空間からの退室を検出した場合は、照明器具２１０をＯＦＦし、換気扇２２０をタイマー運転（所定時間後ＯＦＦ）する。
【０１８９】
以下、この実施の形態２５に係るリモコン装置の動作を説明する。図３５に示すトイレ空間に人が入ってくると、この空間への入室を動作検出センサ１５が検出し、入室検出信号が制御処理部５１Ｆに送出される。そうすると、この制御処理部５１Ｆは、入室検出時の動作内容から照明器具２１０のＯＮの指示コードを通信部６に支持する（ステップＳ２５０１）。この通信部６は、その指示に従って、指示コードを赤外線コードに変換した赤外線信号を出力する。着座／起立、トイレ空間からの退室時の動作（ステップＳ２５０２〜Ｓ２５０４）に関しても、制御対象機器が異なる他は、上述の例と動作が同じなので、ここでは説明を省略する。
【０１９０】
以上のように、この実施の形態２５によれば、手が汚れている、手が濡れているなどの理由により、手による操作が行えない場合に、各動作検出を手での各リモコン操作の代替として、非接触で赤外線等の無線信号に変換された指示コードを送信することができるリモコン装置を得ることができる。
【図面の簡単な説明】
【０１９１】
【図１】この発明の実施の形態１に係るリモコン装置の構成を示すブロック図である。
【図２】この発明の実施の形態１に係るリモコン装置の外観を示す図である。
【図３】この発明の実施の形態１に係るリモコン装置の表示例を示す図である。
【図４】この発明の実施の形態２に係るリモコン装置の外観を示す図である。
【図５】この発明の実施の形態３に係るリモコン装置の構成を示すブロック図である。
【図６】この発明の実施の形態３に係るリモコン装置の表示例を示す図である。
【図７】この発明の実施の形態４に係るリモコン装置の構成を示すブロック図である。
【図８】この発明の実施の形態４に係るリモコン装置のデータベースの構成を示す図である。
【図９】この発明の実施の形態５に係るリモコン装置の構成を示すブロック図である。
【図１０】この発明の実施の形態５に係るリモコン装置のテーブルの構成を示す図である。
【図１１】この発明の実施の形態５に係るリモコン装置の表示例を示す図である。
【図１２】この発明の実施の形態６に係るリモコン装置の構成を示すブロック図である。
【図１３】この発明の実施の形態６に係るリモコン装置の操作状態を示す図である。
【図１４】この発明の実施の形態６に係るリモコン装置の角度センサを示す図である。
【図１５】この発明の実施の形態７に係るリモコン装置の角度センサを示す図である。
【図１６】この発明の実施の形態７に係るリモコン装置の操作状態を示す図である。
【図１７】この発明の実施の形態８に係るリモコン装置の角度センサを示す図である。
【図１８】この発明の実施の形態９に係るリモコン装置及び操作対象機器の構成を示すブロック図である。
【図１９】この発明の実施の形態１０に係るリモコン装置の構成を示すブロック図である。
【図２０】この発明の実施の形態１０に係るリモコン装置の振動提示装置を示す図である。
【図２１】この発明の実施の形態１１に係るリモコン装置の振動提示装置を示す図である。
【図２２】この発明の実施の形態１２に係るリモコン装置の振動提示装置を示す図である。
【図２３】この発明の実施の形態１３に係るリモコン装置の振動提示装置を示す図である。
【図２４】この発明の実施の形態１４に係るリモコン装置の構成を示すブロック図である。
【図２５】この発明の実施の形態１４に係るリモコン装置の外観を示す図である。
【図２６】この発明の実施の形態１４に係るリモコン装置の表示例を示す図である。
【図２７】この発明の実施の形態１６に係るリモコン装置の構成を示すブロック図である。
【図２８】この発明の実施の形態１６に係るリモコン装置の外観を示す図である。
【図２９】この発明の実施の形態１６に係るリモコン装置の表示例を示す図である。
【図３０】この発明の実施の形態２０に係るリモコン装置の構成を示すブロック図である。
【図３１】この発明の実施の形態２２に係るリモコン装置の構成を示すブロック図である。
【図３２】この発明の実施の形態２３に係るリモコン装置の構成を示すブロック図である。
【図３３】この発明の実施の形態２４に係るリモコン装置の構成を示すブロック図である。
【図３４】この発明の実施の形態２５に係るリモコン装置の構成を示すブロック図である。
【図３５】この発明の実施の形態２５に係るリモコン装置の操作状態を示す図である。
【図３６】この発明の実施の形態１に係るリモコン装置の制御処理部の動作を示すフローチャートである。
【図３７】この発明の実施の形態３に係るリモコン装置の制御処理部の動作を示すフローチャートである。
【図３８】この発明の実施の形態３に係るリモコン装置の計時手段の動作を示すフローチャートである。
【図３９】この発明の実施の形態３に係るリモコン装置の連続操作判断部の動作を示すフローチャートである。
【図４０】この発明の実施の形態４に係るリモコン装置の連続操作受入可否判断手段の動作を示すフローチャートである。
【図４１】この発明の実施の形態５に係るリモコン装置の項目表示順序管理手段の動作を示すフローチャートである。
【図４２】この発明の実施の形態６に係るリモコン装置の制御処理部の動作を示すフローチャートである。
【図４３】この発明の実施の形態９に係るリモコン装置の制御処理部の動作を示すフローチャートである。
【図４４】この発明の実施の形態１５に係るリモコン装置の制御処理部の動作を示すフローチャートである。
【図４５】この発明の実施の形態１６に係るリモコン装置の制御処理部の動作を示すフローチャートである。
【図４６】この発明の実施の形態２０に係るリモコン装置の発光素子制御回路の動作を示すフローチャートである。
【図４７】この発明の実施の形態２２に係るリモコン装置の発光素子制御回路の動作を示すフローチャートである。
【図４８】この発明の実施の形態２４に係るリモコン装置の発光素子制御回路の動作を示すフローチャートである。
【図４９】この発明の実施の形態２５に係るリモコン装置の制御処理部の動作を示すフローチャートである。
【符号の説明】
【０１９２】
１  表示器、２、２Ａ、２Ｂ  機能項目選択スイッチ、３  肯定ボタン、４  否定ボタン、５、５Ａ、５Ｂ、５Ｅ  制御部、６  通信部、６Ａ  送信部、６Ｂ  受信部、７  角度センサ、７Ａ  転倒センサ、８  電池ボックス、９  電池、１０  触覚応答装置、１２  モータ、１２  操作スイッチ、１３  人選択スイッチ、１４  生活パターン操作モード選択ボタン、１５  動作検出センサ、５１、５１Ａ、５１Ｂ、５１Ｃ、５１Ｄ、５１Ｅ、５１Ｆ  制御処理部、５２、５２Ａ、５２Ｂ  記憶部、５３  計時手段、５４  連続操作判断部、５５  連続操作受入可否判断手段、５６  項目表示順序管理手段、５７、５７Ａ、５７Ｃ  発光素子制御回路、５８  操作履歴記憶手段、６１  赤外線発光素子、６４  発光素子、６５  発光素子、７０  照明、７１  回転センサ、７２  振子、７３  電極、７４  倒立子、１００、１００Ａ、１００Ｂ、１００Ｃ、１００Ｄ、１００Ｅ、１００Ｆ、１００Ｇ、１００Ｈ、１００Ｊ、１００Ｋ、１００Ｌ、１００Ｍ、１００Ｎ、１００Ｐ、１００Ｒ、１００Ｓ  リモコン装置、２００  テレビ、２１０  照明器具、２２０  換気扇、２３０  洗浄機能付便座、２３０  便座、３００  ビデオ、４００  遠隔操作対象機器、４００  空調機器。
【図１】
2006025442.tif 000003
【図２】
2006025442.tif 000004
【図３】
2006025442.tif 000005
【図４】
2006025442.tif 000006
【図５】
2006025442.tif 000007
【図６】
2006025442.tif 000008
【図７】
2006025442.tif 000009
【図８】
2006025442.tif 000010
【図９】
2006025442.tif 000011
【図１０】
2006025442.tif 000012
【図１１】
2006025442.tif 000013
【図１２】
2006025442.tif 000014
【図１３】
2006025442.tif 000015
【図１４】
2006025442.tif 000016
【図１５】
2006025442.tif 000017
【図１６】
2006025442.tif 000018
【図１７】
2006025442.tif 000019
【図１８】
2006025442.tif 000020
【図１９】
2006025442.tif 000021
【図２０】
2006025442.tif 000022
【図２１】
2006025442.tif 000023
【図２２】
2006025442.tif 000024
【図２３】
2006025442.tif 000025
【図２４】
2006025442.tif 000026
【図２５】
2006025442.tif 000027
【図２６】
2006025442.tif 000028
【図２７】
2006025442.tif 000029
【図２８】
2006025442.tif 000030
【図２９】
2006025442.tif 000031
【図３０】
2006025442.tif 000032
【図３１】
2006025442.tif 000033
【図３２】
2006025442.tif 000034
【図３３】
2006025442.tif 000035
【図３４】
2006025442.tif 000036
【図３５】
2006025442.tif 000037
【図３６】
2006025442.tif 000038
【図３７】
2006025442.tif 000039
【図３８】
2006025442.tif 000040
【図３９】
2006025442.tif 000041
【図４０】
2006025442.tif 000042
【図４１】
2006025442.tif 000043
【図４２】
2006025442.tif 000044
【図４３】
2006025442.tif 000045
【図４４】
2006025442.tif 000046
【図４５】
2006025442.tif 000047
【図４６】
2006025442.tif 000048
【図４７】
2006025442.tif 000049
【図４８】
2006025442.tif 000050
【図４９】
2006025442.tif 000051